(57)【要約】【課題】病原菌に汚染された血液等の有害な液体、嘔吐物等の固形物を含む液状物を、電気式掃除機、または吸引装置の吸引ホースの先端部に、着脱自在に取付けられた液体・液状物処理フィルタユニットで吸引して捕集し、然る後、液体・液状物処理フィルタユニット全体を焼却または殺菌処理、あるいは廃棄処分する。【解決手段】電気式掃除機１ａ、または吸引装置１ｂに連結された吸引ホース２の先端部に着脱自在に取付ける液体・液状物処理フィルタユニットＡであって、該液体・液状物処理フィルタユニットＡが、ケース３内の上流側に、液体・液状物処理用フィルタ部材４が設置されると共に、該液体・液状物処理用フィルタ部材４の下流側に空気処理用フィルタ部材５を連設して形成し、更に液体・液状物処理用フィルタ部材４内に吸水手段１６を装入する。【選択図】図３
2010142390.tif 000002
【特許請求の範囲】
【請求項１】
電気式掃除機、または吸引装置に連結された吸引ホースの先端部に着脱自在に取付ける液体・液状物処理フィルタユニットであって、該液体・液状物処理フィルタユニットが、ケース内の上流側に、液体・液状物処理用フィルタ部材が設置されると共に、該液体・液状物処理用フィルタ部材の下流側に空気処理用フィルタ部材を連設して形成されたことを特徴とする液体・液状物処理フィルタユニット。
【請求項２】
電気式掃除機、または吸引装置に連結された吸引ホースの先端部に着脱自在に取付ける液体・液状物処理フィルタユニットであって、前記液体・液状物処理フィルタユニットを構成するケースは、上流側に液体・液状物処理用フィルタ部材を設置する液体・液状物処理用フィルタ部材設置室を設けると共に、該液体・液状物処理用フィルタ部材設置室の下流側に、前記空気処理用フィルタ部材を設置する空気処理用フィルタ部材設置室をそれぞれ設けて形成され、更に前記ケースの液体・液状物処理用フィルタ部材設置室の上流側の壁面には、先端に吸引部を備えた吸引パイプが、吸入口を該液体・液状物処理用フィルタ部材設置室内に開口して密に貫通して固定されると共に、前記空気処理用フィルタ部材設置室の下流側の壁面には、吸引ホースに連結する排気口を下流側に設けた連結パイプが、該空気処理用フィルタ部材設置室内に開口して密に貫通して固定される一方、前記液体・液状物処理用フィルタ部材は、濾紙を袋状にして中空部を備えたフィルタパックで形成されると共に、該フィルタパックの中空部内に吸水手段を装入し、且つ前記吸引パイプの吸入口を前記フィルタパック内に開口して密に連通して、前記ケースの液体・液状物処理用フィルタ部材設置室内に、通気空間を存して設置され、更に前記空気処理用フィルタ部材は、下流側端部に封止面を備えた空気処理用円筒状フィルタで形成されると共に、前記空気処理用フィルタ部材は、ケースの液体・液状物処理用フィルタ部材設置室と空気処理用フィルタ部材設置室間の区画壁に開口された通気開口に、下流側端部に封止面を設けた空気処理用フィルタのフランジ部を接着固定して、前記空気処理用フィルタ部材設置室内に、通気空間を存して設置されたことを特徴とする液体・液状物処理フィルタユニット。
【請求項３】
請求項１または２記載の液体・液状物処理フィルタユニットにおいて、液体・液状物処理用フィルタ部材が、液体または液状物を吸引し、前記液体または液状物を、該液体・液状物処理用フィルタ部材内に装入された吸水手段により、ゲル化または固形化することを特徴とする液体・液状物処理フィルタユニット。
【請求項４】
請求項１または２記載の液体・液状物処理ユニットにおいて、液体・液状物処理フィルタ部材が液体または液状物を吸引して捕集し、前記液体または液状物をゲル化または固形化し液体分を分離した後に、空気処理用フィルタ部材で微細な塵埃または菌類を含む空気を捕集することを特徴とする液体・液状物処理フィルタユニット。
【請求項５】
請求項１または２記載の液体・液状物処理フィルタユニットにおいて、液体・液状物処理フィルタ部材が液体または液状物を吸引して捕集すると共に、該液体・液状物処理フィルタ部材で、捕集した液体または液状物をゲル化または固形化し液体を分離し、更に、前記分離した空気から空気処理用フィルタ部材で微細な塵埃または菌類を含む空気を捕集した後に、前記液体・液状物処理フィルタユニットを電気式掃除機、または吸引装置から取外し、焼却または殺菌処理、あるいは廃棄処分ができることを特徴とする液体・液状物処理フィルタユニット。
【請求項６】
請求項２または３記載の液体・液状物処理フィルタユニットにおいて、吸水手段が、吸水性を有するシート状物、または固形剤より成る粉状物により形成されたことを特徴とする液体・液状物処理フィルタユニット。
【請求項７】
請求項５記載の液体・液状物処理フィルタユニットにおいて、液体または液状物を吸引し捕集した後に、該液体・液状物処理フィルタユニットを電気式掃除機、または吸引装置から取外した際に、ケースの吸引部および排気口に、飛散防止用の蓋を取付け、ケース内部を密閉して、焼却または殺菌処理、あるいは廃棄処分することを特徴とする液体・液状物処理フィルタユニット。
【請求項８】
電気式掃除機、または吸引装置に連結された吸引ホースの先端部に着脱自在に取付ける液体・液状物処理フィルタユニットであって、該液体・液状物処理フィルタユニットが、ケース内において、液体・液状物処理用フィルタ部材が空気処理用フィルタ部材内に内設して形成されたことを特徴とする液体・液状物処理フィルタユニット。
【請求項９】
電気式掃除機、または吸引装置に連結された吸引ホースの先端部に着脱自在に取付ける液体・液状物処理フィルタユニットであって、前記液体・液状物処理フィルタユニットは、ケースの内周壁面の前方側寄りに、通気開口を開口した区画壁が周設されると共に、該区画壁の通気開口に空気処理用フィルタ部材の先端のフランジ部を接着固定して、空気処理用フィルタ部材をケースとの間に通気空間を存して設置し、更に前記空気処理用フィルタ部材内に、該空気処理用フィルタ部材より小径に形成された液体・液状物処理用フィルタ部材を装入すると共に、該液体・液状物処理用フィルタ部材の先端のフランジ部を、前記空気処理用フィルタ部材のフランジ部に接着固定して、該液体・液状物処理用フィルタ部材と空気処理用フィルタ部材間に通気空間を存して一体に連結固定して形成され、更に前記ケースの上流側の壁面には、先端に吸引部を備えた吸引パイプが、吸入口を前記液体・液状物処理用フィルタ部材内に開口して密に貫通して固定されると共に、前記ケースの下流側の壁面には、吸引ホースに連結する排気口を下流側に設けた連結パイプが、ケースの下流側に開口して密に貫通して固定される一方、前記液体・液状物処理用フィルタ部材は、濾紙により下流側端部に封止面を備えた円筒状フィルタで形成されると共に、該円筒状フィルタの中空部内に吸水手段を装入し、且つ前記吸引パイプの吸入口を前記円筒状フィルタ内に開口して密に連通して、空気処理用フィルタ部材間に通気空間を存して設置され、更に前記空気処理用フィルタ部材は、下流側端部に封止面を備えた空気処理用円筒状フィルタで形成されると共に、該空気処理用フィルタ部材はケースとの間に通気空間を存して設置されたことを特徴とする液体・液状物処理フィルタユニット。
【請求項１０】
請求項８または９記載の液体・液状物処理フィルタユニットにおいて、液体・液状物処理用フィルタ部材が、液体または液状物を吸引し、前記液体または液状物を、該液体・液状物処理用フィルタ部材内に装入された吸水手段により、ゲル化または固形化することを特徴とする液体・液状物処理フィルタユニット。
【請求項１１】
請求項８または９記載の液体・液状物処理ユニットにおいて、液体・液状物処理フィルタ部材が液体または液状物を吸引して捕集し、前記液体または液状物をゲル化または固形化し液体分を分離した後に、空気処理用フィルタ部材で微細な塵埃または菌類を含む空気を捕集することを特徴とする液体・液状物処理フィルタユニット。
【請求項１２】
請求項８または９記載の液体・液状物処理フィルタユニットにおいて、液体・液状物処理フィルタ部材が液体または液状物を吸引して捕集すると共に、該液体・液状物処理フィルタ部材で、捕集した液体または液状物をゲル化または固形化し液体を分離し、更に、前記分離した空気から空気処理用フィルタ部材で微細な塵埃または菌類を含む空気を捕集した後に、前記液体・液状物処理フィルタユニットを電気式掃除機、または吸引装置から取外し、焼却または殺菌処理、あるいは廃棄処分ができることを特徴とする液体・液状物処理フィルタユニット。
【請求項１３】
請求項８または９記載の液体・液状物処理フィルタユニットにおいて、吸水手段が、吸水性を有するシート状物、または固形剤より成る粉状物により形成された
ことを特徴とする液体・液状物処理フィルタユニット。
【請求項１４】
請求項１２記載の液体・液状物処理フィルタユニットにおいて、液体または液状物を吸引し捕集した後に、該液体・液状物処理フィルタユニットを電気式掃除機、または吸引装置から取外した際に、ケースの吸引部および排気口に、飛散防止用の蓋を取付け、ケース内部を密閉して、焼却または殺菌処理、あるいは廃棄処分することを特徴とする液体・液状物処理フィルタユニット。
【発明の詳細な説明】
【技術分野】
【０００１】
本発明は、病原菌に汚染された血液等の有害な液体、または嘔吐物等の固形物を含む液状物を、電気式掃除機、またはセントラルバキュームシステム等の吸引装置の吸引ホースの先端部に、着脱自在に取付けられた液体・液状物処理フィルタユニットで吸引して捕集し、該捕集した液体、または液状物は、液体・液状物処理用フィルタ部材でゲル化、または固形化し、その後、前記ゲル化または固形化して液体分が分離した後の微細な塵埃、または病原菌等の菌類を含む空気を、空気処理用フィルタ部材で捕集して清浄空気とし、更に該清浄空気を前記電気式掃除機、または吸引装置で吸引し、然る後、液体・液状物処理フィルタユニットを前記電気式掃除機、または吸引装置の吸引ホースの先端部から取外し、全体を焼却または殺菌処理、あるいは廃棄処分することができる液体・液状物処理フィルタユニットに関するものである。
【背景技術】
【０００２】
従来、病院や公共施設等の床面や通路等に飛散した血液や嘔吐物は、吸い取り紙やウエス、箒やちりとりなどを駆使して処理をしていた。また、フィルタ等の集塵手段を備えた電気式掃除機は公知であるが、これらの電気式掃除機は、有害な液体や液状固形物を吸引して処理する構造とはなっていない。
【０００３】
一方、液体・液状物処理用フィルタ部材と空気処理用フィルタ部材を備えて形成された液体・液状物処理フィルタユニットを、電気式掃除機や吸引装置の吸引ホースの先端部に取付けて、病原菌に汚染された血液等の有害な液体、または嘔吐物等の固形物を含む液状物を処理するという先行技術につき、過去の特許文献を遡及検索しても、１件の先行技術文献をも発見することができなかった。
【発明の開示】
【発明が解決しようとする課題】
【０００４】
前記従来のように病原菌に汚染された血液等の有害な液体や、嘔吐物等の固形物を含む液状物を、吸い取り紙やウエス、箒とちりとり等で処理しても、液体や液状物がこぼれたり、または液体分が気化する際に、病原菌等が空気中に飛散する恐れがあるという課題があった。
【０００５】
また、吸い取り紙やウエス、箒やちりとりなどで処理された汚物は、一般ごみとして処理される恐れもあり、有害な菌が含まれる場合には汚染の拡大となるという課題があった。
【０００６】
本発明は、前記課題を解決するためになされたもので、ケース内の上流側に、液体・液状物処理用フィルタ部材が設置されると共に、該液体・液状物処理用フィルタ部材の下流側に空気処理用フィルタ部材を連設して形成された液体・液状物処理フィルタユニットを、または、ケース内において、液体・液状物処理用フィルタ部材を、該液体・液状物処理用フィルタ部材より大径に形成された空気処理用フィルタ部材内に通気空間を存して内設して形成された液体・液状物処理フィルタユニットを、電気式掃除機、または吸引装置の吸引ホースの先端部に着脱自在に取付け、前記液体・液状物処理フィルタ部材に吸引して捕集された液体、または液状物は、該液体・液状物処理フィルタ部材でゲル化、または固形化され、液体分が分離した後の微細な塵埃、または菌類を含む空気を、空気処理用フィルタ部材により捕集すると共に、その捕集後は、液体・液状物処理フィルタユニットを、電気式掃除機、または吸引装置から取外し、且つ該液体・液状物処理フィルタユニットの吸引パイプの吸引部、および連結パイプの排出口に塵埃または菌類の飛散防止の蓋を取付けて、前記液体・液状物処理フィルタユニットを密閉してポリエチレン袋等の密封袋に収納し、焼却または殺菌処理、あるいは廃棄処分することにより、病原菌に汚染された血液等の有害な液体、または嘔吐物等の固形物を含む液状物を処理することができる液体・液状物処理フィルタユニットを提供するものである。
【課題を解決するための手段】
【０００７】
本発明は、ケース内の上流側に、液体・液状物処理用フィルタ部材が設置されると共に、該液体・液状物処理用フィルタ部材の下流側に空気処理用フィルタ部材を連設して形成された液体・液状物処理フィルタユニットを、または、ケース内において、液体・液状物処理用フィルタ部材を、該液体・液状物処理用フィルタ部材より大径に形成された空気処理用フィルタ部材内に通気空間を存して内設して形成された液体・液状物処理フィルタユニットを、電気式掃除機、または吸引装置の吸引ホースの先端部に、着脱自在に取付けるという手段を採用することにより、上記課題を解決した。
【発明の効果】
【０００８】
本発明液体・液状物処理フィルタユニットによれば、電気式掃除機、または吸引装置の吸引ホースの先端部に、本発明液体・液状物処理フィルタユニットを取付け、病原菌に汚染された血液等の有害な液体、または嘔吐物等の固形物を含む液状物を吸引して捕集し、液体・液状物処理用フィルタ部材で液体、または液状物をゲル化または固形化して液体分を分離し、更に前記体・液状物処理用フィルタ部材で液体分を分離した後の微細な塵埃、または病原菌類を含む空気を空気処理用フィルタ部材で濾過し、前記塵埃、または菌類を捕集して、清浄空気として電気式掃除機、または吸引装置へ送気することができる。そして、前記捕集後は、本発明液体・液状物処理フィルタユニットを、電気式掃除機、または吸引装置の吸引ホースから取外し、該液体・液状物処理フィルタユニットの連結パイプの排気口、および吸引パイプの吸引部に、塵埃または菌類の飛散防止の蓋をしてポリエチレン袋等の密封袋に収納し、焼却または殺菌処理、あるいは廃棄処分することができるので、病原菌に汚染された血液等の有害な液体、または嘔吐物等の固形物を含む液状物がこぼれたり、液体が気化する際に菌等が空気中に飛散することがないという優れた効果を発揮できる。
【発明を実施するための最良の形態】
【０００９】
本発明は、電気式掃除機、またはセントラルバキュームシステム等の吸引装置に連結された吸引ホースの先端部に着脱自在に取付けることができる液体・液状物処理フィルタユニットであって、液体・液状物処理用フィルタ部材と、空気処理用フィルタ部材とを備えて形成される。
【実施例１】
【００１０】
本発明の実施例１による液体・液状物処理フィルタユニットＡについて、図面に基づいて詳細に説明する。本発明液体・液状物処理フィルタユニットＡは、電気式掃除機１（図１）、またはセントラルバキュームシステム等の吸引装置１ａ（図２）に連結された吸引ホース２の先端部に着脱自在に連結される。
【００１１】
本発明の実施例１による液体・液状物処理フィルタユニットＡは、ケース３内の上流側に病原菌によって汚染された血液等の有害な液体、または嘔吐物等の固形物を含む液状物を吸引して捕集する液体・液状物処理用フィルタ部材４を設置すると共に、前記液体・液状物処理用フィルタ部材４の下流側に、該液体・液状物処理用フィルタ部材４によって液体、または液状物を捕集して、ゲル化、または固形化して液体分を分離した後の、微細な塵埃、または病原菌等の菌類を含む空気を捕集して清浄空気とする空気処理用フィルタ部材５を設置して形成されている。
【００１２】
前記ケース３は、上流側に前記液体・液状物処理用フィルタ部材４を設置する、該液体・液状物処理用フィルタ部材４より大径の液体・液状物処理用フィルタ部材設置室６を設けると共に、該液体・液状物処理用フィルタ部材設置室６の下流側に、前記空気処理用フィルタ部材５を設置する、該空気処理フィルタ部材５より大径の空気処理用フィルタ部材設置室７をそれぞれ設けて形成されている。
【００１３】
更に、前記ケース３の液体・液状物処理用フィルタ部材設置室６の上流側の壁面には、先端に吸引部８を備えた吸引パイプ９が、吸入口１０を該液体・液状物処理用フィルタ部材設置室６内に開口して密に貫通して固定されると共に、前記空気処理用フィルタ部材設置室７の下流側の壁面には、前記吸引ホース２に連結する排気口１１を下流側に設けた連結パイプ１２が、該空気処理用フィルタ部材設置室７内に開口して密に貫通して固定されている。
【００１４】
前記液体・液状物処理用フィルタ部材４は、捕集する液体、または液状物に対応して、一層、または複数層から成る濾紙１３を袋状にして中空部１４を備えたフィルタパック１５で形成されと共に、該フィルタパック１５の中空部１４内に吸水手段１６を封入し、更に前記吸引パイプ９の吸入口１０を前記フィルタパック１５内に開口して密に連通して、前記ケース３の液体・液状物処理用フィルタ部材設置室６内に、通気空間１７を存して設置されている。
【００１５】
前記吸水手段１６は、前記フィルタパック１５内に吸引パイプ９を介して吸引した液体、または液状物を、ゲル化、または固形化するためのものであり、特に限定する必要はないが、好ましくは、吸水性高分子ポリマーより成る吸水性シート、または、吸水性高分子ポリマーより成る粉末ゲル化材により形成され、前記フィルタパック１５の内部に封入される。
【００１６】
また、前記空気処理用フィルタ部材５は、前記液体・液状物処理用フィルタ部材４によって捕集された液体、または液状物が、前記吸水手段１６により吸水されて、ゲル化または固形化され、液体分が分離した後の微細な塵埃または菌類を捕集して、清浄空気とするためのものであり、前記捕集する塵埃または菌類を含む空気の種類、粒径、捕集対象物および捕集効率に対応して、ＵＬＰＡフィルタ、ＨＥＰＡフィルタ、あるいは他のフィルタのいずれかを選択採用して空気処理用フィルタ１８として形成するが、本発明においては、説明の便宜上、前記ＵＬＰＡフィルタ、ＨＥＰＡフィルタ、あるいはその他のフィルタのいずれかを濾紙として使用して形成されたフィルタを、一括して「空気処理用フィルタ１８」と称して説明する。そして、前記空気処理用フィルタ１８は、濾紙を袋状にした従来公知のフィルタパック状に形成してもよいが、好ましくは、図３に示すように、濾紙を蛇腹状に多数折畳んで濾過面を多数設けて円筒状とした空気処理用フィルタ１８を使用することが推奨される。
【００１７】
前記空気処理用フィルタ部材５は、ケース３の液体・液状物処理用フィルタ部材設置室６と、空気処理用フィルタ１８より大径に形成された空気処理用フィルタ部材設置室７間の区画壁１９に開口された通気開口２０に、下流側端部に封止面２１を設けた空気処理用フィルタ１８のフランジ部２２を接着固定して、前記空気処理用フィルタ部材設置室７内に、通気空間２３を存して設置されている。
【００１８】
前記のように構成された本発明液体・液状物処理フィルタユニットＡの作用について説明する。電気式掃除機１ａ、またはセントラルバキュームシステム等の吸引装置１ｂの吸引ホース２の先端部に、本来的に装着されている吸引ノズル等の吸引部（図示せず）を取外した後、前記吸引ホース２の先端部に、本発明液体・液状物処理フィルタユニットＡを構成するケース３の下流側の連結パイプ１２を連結して、排気口１１を前記吸引ホース２に連通する。
【００１９】
そして、例えば、本発明液体・液状物処理フィルタユニットＡを用いて、病院の床面に飛散した病原菌に汚染された血液等の液体を吸引して処理する場合、先ず、電気式掃除機１ａ、または吸引装置１ｂの図示していない吸引ファンを作動させると、該吸引ファンの吸引力により、前記液体が吸引パイプ９の吸引部８から吸引されて、吸入口１０から液体・液状物処理用フィルタ部材４を構成するフィルタパック１５内に吸入される。
【００２０】
前記フィルタパック１５内に吸入された液体は、該フィルタパック１５内の吸水手段１６に吸水され、ゲル化、または固形化されて、前記フィルタパック１５内に、ゲル化物、または固形化物２４となって残留する一方、液体分が分離した後の病原菌に汚染された血液から分離した菌類や微細な塵埃を含む空気は、前記フィルタパック１５から前記吸引ファンによって吸引されて、前記液体・液状物処理用フィルタ部材設置室６の通気空間１７に排出される。
【００２１】
そして、前記通気空間１７内に排出された前記菌類や塵埃を含む空気は、更に前記吸引ファンの吸引力により、空気処理用フィルタ部材５内に吸引され、該空気処理用フィルタ１８によって前記空気中の菌類または塵埃が捕集されて、濾過され、清浄空気となって通気空間２３に吸引されて排出される。
【００２２】
その後、前記通気空間２３に排出された清浄空気は、電気式掃除機１ａ、または吸引装置１ｂの内部に本来的に装着されているフィルタ等の集塵手段（図示せず）によって更に濾過されて、大気中に排出される。
【００２３】
なお、前記空気処理用フィルタ１８によって、空気中の菌類および塵埃が捕集されて濾過されているために、空気式掃除機１ａ、または吸引装置１ｂに本来的に装着されている集塵手段によって捕集される菌類および塵埃はほとんどなく、従って、前記集塵手段の収納部も汚れることなく、美麗に保たれる。
【００２４】
前記したものは、血液等の液体の処理についての説明であったが、嘔吐物等の固形物を含む液状物の処理も、前記液体と同一方法で処理するので説明を省略する。
【００２５】
前記液体、または液状物の処理が完了した本発明液体・液状物処理フィルタユニットＡは、吸引ホース２から取外し、然る後、ケース３の吸引パイプ９の吸引部８および連結パイプ１２の排気口１１に蓋２５を取付けて、該ケース３内を密閉して、菌類および塵埃が飛散するのを防止して、ポリエチレン袋等の密閉袋(図示せず)に収納して、焼却または殺菌処理、あるいは廃棄処分する。
【００２６】
そして、前記本発明液体・液状物処理用フィルタユニットによる液体、または液状物の処理後は、前記電気式掃除機１ａ、または吸引装置１ｂの先端部に本来的に備わっている吸引部を連結することにより、普通の電気式掃除機、またはセントラルバキュームシステム等の吸引装置として使用することができる。
【実施例２】
【００２７】
本発明の実施例２による液体・液状物処理フィルタユニットＢにつき、図面に基づいて詳細に説明する。なお、実施例２において、実施例１のものと同一構成のものは、実施例１における符号をそのまま使用して説明する。
【００２８】
すなわち、実施例２による液体・液状物処理フィルタユニットＢは、ケース３３内において、空気処理用フィルタ部材３５より小径に形成された液体・液状物処理用フィルタ部材３４が、該空気処理用フィルタ部材３５内に内設されて形成されている。
【００２９】
実施例２において、液体・液状物処理用フィルタ部材３４は、実施例１における液体・液状物処理用フィルタ部材４がフィルタパック１５で形成されているのに対して、実施例２は、下流側端部に封止面３６を設けた円筒状フィルタ３７によって形成されている点、更に、実施例１における空気処理用フィルタ部材５は、パック状の空気処理用フィルタ、または円筒状の空気処理用フィルタのいずれでもよいが、実施例２は、空気処理用フィルタ部材３５が、下流側端部に封止面３８を設けた空気処理用円筒状フィルタ３９で形成されている点が、それぞれ異なっている。
【００３０】
実施例２においては、ケース３３の内周壁面の前方側寄りに、通気開口４０を開口した区画壁４１が周設されると共に、該区画壁４１の通気開口４０に、空気処理用フィルタ部材３５の先端のフランジ部４２を接着固定して、空気処理用フィルタ部材３５をケース３３との間に通気空間４３を存して設置し、更に前記空気処理用フィルタ部材３５内に液体・液状物処理用フィルタ部材３４を装入すると共に、該液体・液状物処理用フィルタ部材３４の先端のフランジ部４４を、前記空気処理用フィルタ部材３５のフランジ部４２に接着固定して、該液体・液状物処理用フィルタ部材３４と空気処理用フィルタ部材３５間に通気空間４５を存して一体に連結固定して形成される。
【００３１】
そして、前記液体・液状物処理用フィルタ部材３４のフランジ部４４には、ケース３３の吸引パイプ９の吸入口１０が開口して、密に連結固定されており、更に、該液体・液状物処理用フィルタ部材３４内には、実施例1と同様、吸水手段１６が装入されている。そして、その他の構成は、実施例１と同一であるので、説明を省略する。
【００３２】
前記のように構成された本発明液体・液状物処理フィルタユニットＢの作用について説明する。電気式掃除機１ａ、またはセントラルバキュームシステム等の吸引装置１ｂの吸引ホース２の先端部に、本来的に装着されている吸引ノズル等の吸引部（図示せず）を取外した後、前記吸引ホース２の先端部に、本発明液体・液状物処理フィルタユニットＢを構成するケース３の下流側の連結パイプ１２を連結して、排気口１１を前記吸引ホース２に連通する。
【００３３】
そして、例えば、本発明液体・液状物処理フィルタユニットＢを用いて、病院の床面に飛散した病原菌に汚染された血液等の液体を吸引して処理する場合、先ず、電気式掃除機１ａ、または吸引装置１ｂの図示していない吸引ファンを作動させると、該吸引ファンの吸引力により、前記液体が吸引パイプ９の吸引部８から吸引されて、吸入口１０から液体・液状物処理用フィルタ部材３４を構成する円筒状フィルタ３７内に吸入される。
【００３４】
前記円筒状フィルタ３６内に吸入された液体は、該円筒状フィルタ３６内の吸水手段１６に吸水され、ゲル化、または固形化されて前記円筒状フィルタ３６内に残留する一方、前記ゲル化、または固形化され、液体分が分離した後の病原菌に汚染された血液から分離した菌類や微細な塵埃を含む空気は、前記円筒状フィルタ３６から前記吸引ファンによって吸引されて、前記液体・液状物処理用フィルタ部材３４と空気処理用フィルタ部材３５間の通気空間４５に排出される。
【００３５】
そして、前記通気空間４５内に排出された前記菌類や塵埃を含む空気は、更に前記吸引ファンの吸引力により、空気処理用フィルタ部材３５内に吸引され、該空気処理用円筒状フィルタ３９によって前記空気中の菌類または塵埃が捕集されて、濾過され、清浄空気となって通気空間４３に吸引されて排出される。
【００３６】
その後、前記通気空間４３に排出された清浄空気は、電気式掃除機１ａ、または吸引装置１ｂの内部に本来的に装着されているフィルタ等の集塵手段（図示せず）によって更に濾過されて、大気中に排出される。
【００３７】
なお、前記空気処理用円筒状フィルタ３７によって、空気中の菌類および塵埃が捕集されて濾過されているために、電気式掃除機１ａ、または吸引装置１ｂに本来的に装着されている集塵手段によって捕集される菌類および塵埃はほとんどなく、従って、前記集塵手段の収納部も汚れることなく、美麗に保たれる。
【００３８】
前記したものは、血液等の液体の処理についての説明であったが、嘔吐物等の固形物を含む液状物の処理も、前記液体と同一方法で処理するので説明を省略する。
【００３９】
前記液体、または液状物の処理が完了した本発明液体・液状物処理フィルタユニットＢは、吸引ホース２から取外し、然る後、ケース３３の吸引パイプ９の吸引部８および連結パイプ１２の排気口１１に蓋２４を取付けて、該ケース３３内を密閉して、菌類および塵埃が飛散するのを防止して、ポリエチレン袋等の密閉袋(図示せず)に収納して、焼却または殺菌処理、あるいは廃棄処分する。
【００４０】
そして、前記本発明液体・液状物処理用フィルタユニットＢによる液体、または液状物の処理後は、前記電気式掃除機１ａ、または吸引装置１ｂの先端部に本来的に備わっている吸引部を連結することにより、普通の電気式掃除機、またはセントラルバキュームシステム等の吸引装置として使用することができる。
【図面の簡単な説明】
【００４１】
【図１】本発明液体・液状物処理フィルタユニットを電気式掃除機に使用した状態を示す全体の概略斜視図である。
【図２】本発明液体・液状物処理フィルタユニットを吸引装置であるセントラルバキュームシステムに使用した状態を示す全体の概略斜視図である。
【図３】本発明の実施例１による液体・液状物処理フィルタユニットの縦断面図である。
【図４】本発明の実施例２による液体・液状物処理フィルタユニットの縦断面図である。
【図５】本発明の実施例１による液体・液状物処理フィルタユニットを取外して処理する直前の状態を示す縦断面図である。
【符号の説明】
【００４２】
Ａ・Ｂ 液体・液状物処理フィルタユニット
1 ａ 電気式掃除機
1 ｂ 吸引装置
２ 吸引ホース
３ ケース
４ 液体・液状物処理用フィルタ部材
５ 空気処理用フィルタ部材
６ 液体・液状物処理用フィルタ部材設置室
７ 空気処理用フィルタ部材設置室
８ 吸引部
９ 吸引パイプ
１０ 吸入口
１１ 排気口
１２ 連結パイプ
１３ 濾紙
１４ 中空部
１５ フィルタパック
１６ 吸水手段
１７ 通気空間
１８ 空気処理用フィルタ
１９ 区画壁
２０ 通気開口
２１ 封止面
２２ フランジ部
２３ 通気空間
２４  ゲル化物、または固形化物
２５  蓋
３３ ケース
３４ 液体・液状物処理用フィルタ部材
３５ 空気処理用フィルタ部材
３６ 封止面
３７ 円筒状フィルタ
３８  封止面
３９  空気処理用円筒状フィルタ
４０ 通気開口
４１ 区画壁
４２ フランジ部
４３ 通気空間
４４ フランジ部
４５ 通気空間
【図１】
2010142390.tif 000003
【図２】
2010142390.tif 000004
【図３】
2010142390.tif 000005
【図４】
2010142390.tif 000006
【図５】
2010142390.tif 000007